(57)【要約】【課題】焼却灰中に混入した金属線等が絡まることがなく、操業効率を高く維持できる。【解決手段】平行に配設された左右のローラチェーン４Ａ，４Ｂ間に、これらローラチェーン４Ａ，４Ｂの移動方向へ間隔をおいて複数のスクレイパ５を架設して各スクレイパ５により被搬送物を掻き揚げ搬送するスクレイパ式コンベアにおいて、各ローラチェーン４Ａ，４Ｂを懸架する左右の各スプロケット３Ａ，３Ｂをこれらの対向方向外方に配した左右の軸体２Ａ，２Ｂによってそれぞれ回転可能に支持し、左右の軸体２Ａ，２Ｂを駆動手段６７によって同期回転させる。【選択図】        図１
2004315217.tif 000002
【特許請求の範囲】
【請求項１】
平行に配設された左右の無端移動部材間に、これら無端移動部材の移動方向へ間隔をおいて複数のスクレイパを架設して各スクレイパにより被搬送物を掻き揚げ搬送するスクレイパ式コンベアにおいて、前記各無端移動部材を懸架する左右の各回転部材を、これらの対向方向外方にのみ配した左右の軸体によってそれぞれ回転可能に支持し、前記左右の軸体を駆動手段によって同期回転させることを特徴とするスクレイパ式コンベア。
【請求項２】
単一の前記駆動手段の回転力を前記左右の軸体に分配する回転力分配手段をさらに備えている請求項１に記載のスクレイパ式コンベア。
【発明の詳細な説明】
【０００１】
【発明の属する技術分野】
本発明はスクレイパ式コンベアに関し、特に、無端チェーンを懸架するスプロケットの支持構造の改良に関する。
【０００２】
【従来の技術】
スクレイパ式コンベアはスプロケットに懸架されて移動する平行な左右の無端チェーンの間に、チェーン移動方向へ間隔をおいて複数のスクレイパ（掻き板）を架設して、これらスクレイパによって粉状や泥状の被搬送物を掻き揚げるようにして搬送するものであり、その一例は特許文献１等に示されている。このようなスクレイパ式コンベアの駆動部の一例を図３に示す。図３において、スクレイパ式コンベアは略矩形断面のケーシング１を備えており、当該ケーシング１内にはこれを横切り左右の側壁１１，１２を貫通して軸体７１が設けられている。軸体７１は各側壁１１，１２に設けられたシール具１３を貫通して外方へ延びて、両端部が軸受け具７２によって回転可能に支持されている。軸体７１の一端は軸受け具７２から突出し、その外周にスプロケット７３が嵌着してある。スプロケット７３には図略の駆動モータから至ったチェーンが懸架されており、スプロケット７３を介して駆動モータにより軸体７１が回転させられる。
【０００３】
ケーシング１内に位置する軸体７１には左右位置にそれぞれ駆動側スプロケット７４Ａ，７４Ｂが固定されて、これら駆動側スプロケット７４Ａ，７４Ｂに無端ローラチェーン７５Ａ，７５Ｂの一端が懸架されている。無端ローラチェーン７５Ａ，７５Ｂはケーシング１内を平行に延びてその他端は従動側スプロケット（図示略）に懸架されている。これにより、駆動側スプロケット７４Ａ，７４Ｂの回転に伴って無端ローラチェーン７５Ａ，７５Ｂがケーシング１内を移動する。無端ローラチェーン７５Ａ，７５Ｂには移動方向へ間隔をおいて、左右のチェーン７５Ａ，７５Ｂ間にスクレイパ５が架設されている。スクレイパ５は略長方形の板体で、その外周に沿うように凹陥したケーシング１の底壁１４に近接して例えば紙面の後方へ移動し、底壁１４上の被搬送物を掻き揚げ搬送する。被搬送物は底壁１４に形成された排出口から排出され、被搬送物を排出した後のスクレイパ５は図３の鎖線で示すように上方へ反転してケーシング１の上半部内を紙面の前方へ戻り移動する。
【特許文献１】実公昭５４−２３１１２
【０００４】
【発明が解決しようとする課題】
ところで、上記従来のスクレイパ式コンベアで廃棄物の焼却灰等を搬送する場合に、焼却灰中に混入している金属線等がケーシング１を貫通する上記軸体７１に絡まって動作不良を生じることが往々にしてあった。この場合、絡まった金属線等を除去する作業は労働作業環境上好ましくなく、これが操業効率の低下を招いていた。
【０００５】
そこで本発明はこのような課題を解決するもので、焼却灰中に混入した金属線等が絡まることがなく、操業効率を高く維持できるスクレイパ式コンベアを提供することを目的とする。
【０００６】
【課題を解決するための手段】
上記目的を達成するために、本第１発明では、平行に配設された左右の無端移動部材（４Ａ，４Ｂ）間に、これら無端移動部材（４Ａ，４Ｂ）の移動方向へ間隔をおいて複数のスクレイパ（５）を架設して各スクレイパ（５）により被搬送物を掻き揚げ搬送するスクレイパ式コンベアにおいて、各無端移動部材（４Ａ，４Ｂ）を懸架する左右の各回転部材（３Ａ，３Ｂ）を、これらの対向方向外方にのみ配した左右の軸体（２Ａ，２Ｂ）によってそれぞれ回転可能に支持し、左右の軸体（２Ａ，２Ｂ）を駆動手段（６７）によって同期回転させる。
【０００７】
本第１発明においては、回転部材を支持する軸体がこれらの対向方向外方にのみ配されて左右に分離されており、従来のように軸体がケーシング内を貫通していないから、金属線等が軸体に絡まることはない。したがって、絡まった金属線等を除去する作業が不要で、操業効率を高く維持することができる。
【０００８】
本第２発明では、単一の上記駆動手段（６７）の回転力を左右の軸体（２Ａ，２Ｂ）に分配する回転力分配手段（６２，６３，６４，６６，６８，６９）をさらに備えている。本第２発明では単一の駆動手段の回転力を左右の軸体に分配するから、左右の軸体それぞれに駆動手段を設けるのに比して、設置スペースおよびコストが低減される。
【０００９】
なお、上記カッコ内の符号は、後述する実施形態に記載の具体的手段との対応関係を示すものである。
【００１０】
【発明の実施の形態】
図１にはスクレイパ式コンベアの駆動部の部分断面平面図を示し、図２にはその部分断面正面図を示す。各図において、ケーシング１の左右の側壁１１，１２にはこれらに設けたシール具１３を貫通させて外方からそれぞれ軸体２Ａ，２Ｂが設けてあり、左右の各軸体２Ａ，２Ｂは必要最小限の長さがケーシング１内に突出して同一軸線上で対向している。軸体２Ａ，２Ｂの突出部２１外周にはそれぞれ駆動側スプロケット３Ａ，３Ｂが嵌着してあり、これら駆動側スプロケット３Ａ，３Ｂにはケーシング１内を平行に延びる左右の無端ローラチェーン４Ａ，４Ｂの一端が懸架されている。無端ローラチェーン４Ａ，４Ｂの他端は従動側スプロケット（図示略）に懸架されている。無端ローラチェーン４Ａ，４Ｂには移動方向へ間隔をおいて、左右のチェーン４Ａ，４Ｂ間にスクレイパ５が架設されている。なお、スクレイパ５の外形やケーシング１の断面形状は既に説明した従来のものと同様である。
【００１１】
ケーシング１外に位置する軸体２Ａ，２Ｂは軸方向の前後に設けた軸受け具６１によって回転可能に支持されており、前後の軸受け具６１間に位置する軸体２Ａ，２Ｂの外周には回転力分配手段を構成する円形のギヤ体６２が嵌着されている。各ギヤ体６２には同径のギヤ体６３が噛合しており、これらギヤ体６３はケーシング１の背後を左右方向へ延びる軸体６４（図１）の両端部外周に嵌着されている。なお、軸体６４の両端は軸受け具６５によって回転可能に支持されている。軸体６４の端部に近い中間部外周にはスプロケット６６が嵌着してあり、当該スプロケット６６と駆動モータ６７の出力軸６７１に設けたスプロケット６８との間にチェーン６９が懸架されている。
【００１２】
このような構造において、駆動モータ６７を起動させるとチェーン６９を介して軸体６４が回転させられ、ギヤ体６３，６２を介して左右の軸体２Ａ，２Ｂが回転させられて駆動側スプロケット３Ａ，３Ｂの回転に伴って無端ローラチェーン４Ａ，４Ｂがケーシング１内を移動する。これにより、スクレイパ５が移動してケーシング１底壁上の焼却灰が掻き揚げ搬送される。焼却灰を上記底壁の排出口から排出した後のスクレイパ５は上方へ反転してケーシング１の上半部内を戻り移動する。この際、焼却灰中に金属線等が混入していても、軸体２Ａ，２Ｂは左右に分離されてケーシング１内には最小限の長さが突出しているだけであるから、金属線が軸体２Ａ，２Ｂに絡まることはない。
【００１３】
なお、上記実施形態では、本発明をスクレイパ式コンベアの駆動部に適用したが、従動部に適用することもできる。
【００１４】
【発明の効果】
以上のように本発明のスクレイパ式コンベアによれば、被搬送物たる焼却灰中に混入した金属線等が絡まることがなく、操業効率を高く維持することができる。
【図面の簡単な説明】
【図１】スクレイパ式コンベアの駆動部の部分断面平面図である。
【図２】スクレイパ式コンベアの駆動部の部分断面正面図である。
【図３】従来のスクレイパ式コンベアの駆動部の半断面正面図である。
【符号の説明】
２Ａ，２Ｂ…軸体、３Ａ，３Ｂ…駆動側スプロケット、４Ａ，４Ｂ…無端ローラチェーン、５…スクレイパ、６２，６３…ギヤ体、６４…軸体、６６…スプロケット、６７…駆動モータ、６８…スプロケット、６９…チェーン。
【図１】
2004315217.tif 000003
【図２】
2004315217.tif 000004
【図３】
2004315217.tif 000005